(57)【特許請求の範囲】
【請求項１】
壁面に取り付けられた電気器具用のプレートを取り外すときに使用される取り外し工具であって、
前記壁面と前記プレートとの隙間部に差し込まれ、先端部が所定の幅を有した平坦状をなす板部材と、
前記板部材の後端部に取り付けられた把持部材とを備え、
前記板部材には、当該板部材の幅方向に沿うようにして折り曲げられた折り曲げ部が設けられ、
前記折り曲げ部の折曲角度は、２０°以上かつ３０°以下であり、
前記板部材の先端部の幅は、前記プレートの長手方向の長さに対して１／４以上かつ１／２以下に選定される
ことを特徴とする取り外し工具。
【請求項２】
前記折り曲げ部は、前記板部材の長手方向の長さに対して先端側から略１／３の位置に設けられる
ことを特徴とする請求項１に記載の取り外し工具。
【発明の詳細な説明】
【技術分野】
【０００１】
本発明は、取り外し工具に関する。詳しくは、壁面に取り付けられたモジュラージャック用またはコンセント用のプレートと壁面との隙間部に差し込まれる平板状をなす板部材と、板部材の後端部に取り付けられた把持部材とを備え、板部材に幅方向に沿うような折り曲げ部を設けることで、壁面と把持部材との間に作業空間を設けるようにしたものである。
【背景技術】
【０００２】
一般住宅の部屋の壁面には、電話やファクシミリ、モデムやＬＡＮ(Local Area Network)などを接続する際に用いられるモジュラージャックが設置されている。モジュラージャックは部屋の壁面に形成された開口部に取付枠を介して装着される。モジュラージャックが装着された壁面の開口部には、モジュラージャックを露出させるようにしてプレートが取り付けられる（特許文献１参照）。
【０００３】
ファーストワンマイル工事の宅内調査時には、通信線が各部屋のモジュラージャック部分まで敷設可能かどうかを確認するための確認作業が行われる。この確認作業は、壁面のプレートを取り外し、所定の部屋に設置されたＭＤＦ(Main Distributing Frame)からモジュラージャックに亘って設置されたＣＤ(Combined Duct)管に通信器を入線することで、通信線がモジュラージャック部分まで敷設可能かを調査するものである。
【０００４】
部屋の壁面に取り付けられたプレートを取り外す場合には、プレートの側部に形成された挿入用溝に、ドライバー等の工具を挿入し、ドライバーをひねったり回転させたりすることで、壁面に取り付けられたプレートを取り外している。ドライバーは、一般に先端部がマイナス形状等に形成された棒状部材とこの棒状部材の後端部に取り付けられた把持部材とから構成されている。
【０００５】
【特許文献１】特開平９−１４７９５８号公報
【発明の開示】
【発明が解決しようとする課題】
【０００６】
しかしながら、特許文献１に開示されるようなプレートを上記ドライバーによって取り外す場合、ドライバーの先端部は棒状であってその先端幅が狭いため、ドライバーのテンションがプレートの一箇所に集中してしまう。これにより、プレートを損傷させてしまう場合がある。
【０００７】
また、ドライバーによってこじ開けるため、プレートが壁面に密着して取り付けられているような場合には、ドライバーによって壁面に傷をつけてしまうおそれもある。このように、プレートや壁面に傷などを付けてしまった場合には、プレートを交換したり、壁面のクロスを交換しなければならず、余計なコストがかかってしまう場合がある。
【０００８】
さらに、ドライバーは棒形状に構成されるため、ドライバーを壁面に沿うようにしてプレートの挿入用溝に挿入すると、ドライバーを把持する作業者の手が壁面に接触してしまい、取り外し作業を効率的に行えない場合もある。
【０００９】
そこで、本発明は、上記課題を解決するためになされたものであり、壁面に取り付けられたプレートを取り外す際に、プレートや壁面を損傷させることなく、効率的にプレートを壁面から取り外すことが可能な取り外し工具を提供することを目的とする。
【課題を解決するための手段】
【００１０】
本発明に係る取り外し工具は、上記課題を解決するために、壁面に取り付けられた電気器具用のプレートを取り外すときに使用される取り外し工具であって、壁面とプレートとの隙間部に差し込まれ、先端部が所定の幅を有した平坦状をなす板部材と、板部材の後端部に取り付けられた把持部材とを備え、板部材には、当該板部材の幅方向に沿うようにして折り曲げられた折り曲げ部が設けられ、折り曲げ部の折曲角度は、２０°以上かつ３０°以下であり、板部材の先端部の幅は、プレートの長手方向の長さに対して１／４以上かつ１／２以下に選定されることを特徴とするものである。
【００１１】
本発明に係る取り外し工具は、板部材の幅方向に沿うようにして折り曲げられた折り曲げ部を有している。そのため、プレートの取り外し作業時において、折り曲げ部よりも前方側を壁面に接触させると、折り曲げ部よりも後方側に取り付けられた把持部材は、折り曲げ部の角度分だけ壁面に対して傾斜した（浮いた）状態となる。これにより、把持部材と壁面との間に十分な作業空間を設けることができ、プレートの取り外し作業時に把持部材を把持した作業者の手が壁面に接触してしまうような事態を防止できる。その結果、取り外し作業の効率化を図ることができる。
【００１２】
本発明において電気器具用のプレートは、モジュラージャック用やコンセント用、操作パネル用などのプレートを含むものである。
【発明の効果】
【００１３】
本発明によれば、板部材に折り曲げ部を設けて把持部材と壁面との間に作業空間を設けることで、取り外し作業の効率化を図ることができる。
【発明を実施するための最良の形態】
【００１４】
［第１の実施の形態］
以下、本発明の実施形態について図面を参照して説明する。
＜取り外し工具の構成例＞
図１は、本発明に係る取り外し工具１０の構成例を示す図である。図２（Ａ）は取り外し工具１０の構成例を示す平面図であり、図２（Ｂ）は取り外し工具１０の構成例を示す側面図であり、図２（Ｃ）は図２（Ｂ）に示す要部Ａの拡大図である。図２（Ａ）では、取り外し工具１０の寸法を説明するため、便宜上プレート５０（破線部分）を図示している。
【００１５】
取り外し工具１０は、図１、図２（Ａ）および図２（Ｂ）に示すように、ヘラ部材１２と把持部材１４とを備えている。ヘラ部材１２は、板部材の一例であり、細長の平板（帯）状をなし、例えば鋼などの金属材料やプラスチックなどの樹脂材料から構成される。ヘラ部材１２には、ヘラ部材１２の幅（短手）方向に沿うようにして折り曲げられた折り曲げ部１６が設けられる。本例において折り曲げ部１６は、図２（Ａ）に示すように、ヘラ部材１２の長手方向の長さＬに対して、先端側から略Ｌ／３の位置に設けられている。
【００１６】
折り曲げ部１６の折曲角度θは、２０°以上、かつ、３０°以下が好ましい。これは、折曲角度θが２０°未満では、取り外し工具１０の把持部材１４を把持する作業者の手がプレート５０が取り付けられた壁面に接触してしまう場合があるからである。一方、折曲角度θが３０°超では、プレート５０を取り外す際にヘラ部材１２に力が加わり過ぎてしまい、プレート５０に過度のテンションを加えてプレート５０の爪部を破壊してしまう場合があるからである。本例では、折り曲げ部１６の折曲角度θが２０°に設定されている。
【００１７】
ヘラ部材１２の先端部１２ａの幅Ｗ１は、図２（Ａ）に示すように、プレート５０の長手方向の長さＷ２に対して例えば１／４以上かつ１／２以下の範囲内に選定される。先端部１２ａの幅Ｗ１が１／４未満の場合には、ヘラ部材１２の先端部１２ａの幅Ｗ１が狭く、プレート５０とヘラ部材１２との接触面積が小さくなってしまい、プレート５０に対するテンションが一箇所に集中してしまうからである。一方、１／２超の場合にはプレート５０とヘラ部材１２との接触面積が大きくなってしまい、プレート５０に与えるテンションが分散してしまうからである。本例では、プレート５０の長手方向の長さＷ２を１２ｃｍとしたとき、ヘラ部材１２の先端部１２ａの幅Ｗ１は３ｃｍ〜５ｃｍに選定され、より好ましくは４ｃｍに選定される。
【００１８】
ヘラ部材１２の厚みＴは、壁面とプレート５０との間隙部の幅Ｄ（図４（Ａ）参照）よりも薄くなるように設定される。壁面とプレート５０との間隙部の幅Ｄが例えば１ｍｍ程度の場合には、先端部１２ａの厚みは１ｍｍ未満に選定され、より好ましくは０．２〜０．５ｍｍ程度に選定される。なお、ヘラ部材１２の先端部１２ａの厚みだけを上記０．２〜０．５ｍｍ程度に設定しても良い。
【００１９】
ヘラ部材１２の先端部１２ａは、先端側に向かって尖った（先細った）形状に形成される。本例では、図２（Ｃ）に示すように、プレート５０との対向側が傾斜面１２０ａとなっており、壁面とプレート５０との間隙部に挿入し易い形状となっている。この先端部１２ａの傾斜面１２０ａには、例えば図示しない樹脂材料からなる保護部材２０が貼り付けられる。保護部材２０としては例えばセロハンテープなどが用いられる。これは、プレート５０の取り外し作業時に、金属部材で構成された先端部１２ａ表面を保護部材２０によって保護することで、プレート５０に損傷を与えないようにするためである。
【００２０】
把持部材１４は、絶縁材料からなり、ヘラ部材１２の後端部に取り付けられる。本例では、平板状のヘラ部材１２の後端部の両面側を２枚の把持部材により挟持して固着することにより構成される。
【００２１】
＜取り外し工具の使用例＞
図３、図４（Ａ）および図４（Ｂ）は、本発明に係る取り外し工具の使用例を示す図である。図３および図４に示すように、部屋の壁面６０には、モジュラージャック５２が設置されている。モジュラージャック５２は部屋の壁面６０に形成された開口部に図示しない取付枠を介して装着される。モジュラージャックが装着された壁面６０の開口部には、モジュラージャックを露出させるようにしてプレート５０が取り付けられる。プレート５０は、図示しない複数個の爪部によって壁面６０に係止される。
【００２２】
プレート５０を壁面６０から取り外す際には、図３および図４（Ａ）に示すように、取り外し工具１０の先端部１２ａをプレート５０と壁面６０との間隙部に差し込む（挿入する）。本例では、プレート５０の長手方向に直交した方向（プレート５０の右側面側）から取り外し工具１０を差し込んでいる。本例によれば、ヘラ部材１２の先端部１２ａは尖っているため、容易にプレート５０と壁面６０との間隙部に差し込むことができる。
【００２３】
次に、図４（Ｂ）に示すように、先端部１２ａを間隙部に挿入した状態で、取り外し工具１０をヘラ部材１２の長手方向を軸として例えば右周りに捻ることで、プレート５０の図示しない爪部を壁面６０から取り外す。これにより、プレート５０を壁面６０から取り外すことができる。
【００２４】
以上説明したように、本実施の形態によれば、取り外し工具１０は、ヘラ部材１２の幅方向に沿うようにして折り曲げられた折り曲げ部１６を有する。そのため、プレート５０の取り外し作業時において、折り曲げ部１６よりも前方（先端）側を壁面６０に接触させると、折り曲げ部１６よりも後方側に取り付けられた把持部材１４は折り曲げ部１６の角度分だけ壁面６０に対して傾斜した（浮いた）状態となる。これにより、把持部材１４と壁面６０との間に十分な作業空間Ｓ（図４（Ａ）および図４（Ｂ）参照）を設けることができ、把持部材１４を把持した作業者の手が壁面６０に接触してしまうような事態を防止できる。その結果、取り外し作業の効率化を図ることができる。
【００２５】
また、本実施の形態によれば、取り外し工具１０の先端部１２ａの幅Ｗ１は、プレート５０の長手方向の長さＬに対して１／４以上、かつ、１／２以下に設定されるため、プレート５０と取り外し工具１０との接触面積を大きくすることができる。これにより、取り外し工具のテンションがプレート５０の一箇所に集中することを回避することで、プレート５０や壁面６０の損傷を防止できる。その結果、損傷によるプレート５０や壁面６０のクロスの交換を行う必要がなく、取り外し作業において余分なコストがかからなくて済む。
【００２６】
なお、本発明の技術範囲は、上述した実施の形態に限定されるものではなく、本発明の趣旨を逸脱しない範囲において、上述した実施の形態に種々の変更を加えたものを含む。
【００２７】
例えば、上述した実施の形態では、作業空間Ｓを確保するためにヘラ部材１２に折り曲げ部を設けたが、これに代えて円弧状に湾曲させた湾曲部により構成することもできる。つまり、ヘラ部材１２は、把持部材１４が壁面６０から作業者の手が接触しないような距離だけ離間するような形状であれば良い。
【００２８】
また、上述した実施の形態では、モジュラージャック用のプレート５０について説明したが、これに限定されることはない。例えば、コンセント用のプレートなどの電気器具についても本発明に係る取り外し工具１０を適用することができる。
【００２９】
また、プレート５０の取り外し方法としては、取り外し工具１０の先端部１２ａを間隙部に差し込んだ状態で、ヘラ部材１２の折り曲げ部１６を軸として把持部材１４を壁面６０に接近させていき、先端部１２ａを壁面６０から離間させることで、プレート５０の右側面部を押し上げるようにして、プレート５０を壁面６０から取り外しても良い（てこの原理）。
【００３０】
さらに、上述した実施の形態では、プレート５０の右側面部側から取り外し工具１０を差し込んだが、プレート５０のプレート５０の上側または下側（短手方向に直交した方向）から取り外し工具１０を差し込んでも良い。
【産業上の利用可能性】
【００３１】
本発明は、モジュラージャック用またはコンセント用などの電気器具のプレートの取り外し作業時に好適に適用できる。
【図面の簡単な説明】
【００３２】
【図１】本発明の一実施形態に係る取り外し工具の構成例を示す斜視図である。
【図２】（Ａ）および（Ｂ）は取り外し工具の構成例を示す図である。
【図３】取り外し工具の使用例を示す図である（その１）。
【図４】取り外し工具の使用例を示す図である（その２）。
【符号の説明】
【００３３】
１０・・・取り外し工具、１２・・・ヘラ部材、１２ａ・・・先端部、１４・・・把持部材、１６・・・折り曲げ部、１８・・・保護部材、５０・・・プレート、５２・・・モジュラージャック、６０・・・壁面
【図１】
0005247176.tif 000002
【図２】
0005247176.tif 000003
【図３】
0005247176.tif 000004
【図４】
0005247176.tif 000005